(57)【要約】【課題】特性を不安定にすることなく拡散パターンの損耗を抑制または防止する。【解決手段】照明装置９は、光源６と、光源６が発する光を線光源化する棒状の導光体３と、導光体３の一部を覆う棒状の導光体カバー８とを有し、導光体カバー８は、導光体３を所定の方向からスライド式に挿入可能であり、導光体３には、光源６が発する光を拡散する拡散パターン３３１が設けられる光拡散面３３と、長手方向視において、少なくとも一部が拡散パターン３３１よりも光拡散面３３の法線方向に高い突出部３６とが設けられる。【選択図】図７
2016015645.tif 000002
【特許請求の範囲】
【請求項１】
光源と、前記光源が発する光を線光源化する棒状の導光体と、前記導光体の一部を覆う棒状の導光体カバーと、を有する照明装置であって、
前記導光体カバーは、前記導光体を所定の方向からスライド式に挿入可能であり、
前記導光体には、
前記光源が発する光を拡散する拡散パターンが設けられる光拡散面と、
長手方向視において、少なくとも一部が前記拡散パターンよりも前記光拡散面の法線方向に高い突出部と、
が設けられることを特徴とする照明装置。
【請求項２】
前記導光体カバーの内周側には、前記導光体の前記光拡散面と対向し、前記拡散パターンを通じて出射する光を反射する光反射面が設けられ、
前記拡散パターンは、前記突出部によって、前記光反射面と接触しないように保持されることを特徴とする請求項１に記載の照明装置。
【請求項３】
長手方向視において、前記突出部は、前記拡散パターンの両側に設けられることを特徴とする請求項１または２に記載の照明装置。
【請求項４】
前記導光体カバーは、長手方向に直角な所定の方向が開口する略Ｕ字形状の断面を有し、前記導光体を前記所定の方向から挿入可能であることを特徴とする請求項１から３のいずれか１項に記載の照明装置。
【請求項５】
前記導光体カバーの内周側には、前記所定の方向に対して傾斜する光反射面が設けられ、
前記導光体の前記光拡散面は、前記所定の方向に対して傾斜しており、
前記導光体の前記光拡散面は、前記導光体カバーの前記光反射面と対向することを特徴とする請求項４に記載の照明装置。
【請求項６】
前記突出部は、前記所定の方向に平行な表面を有することを特徴とする請求項４または５に記載の照明装置。
【請求項７】
照明装置と、
前記照明装置から出射されて被照明体で反射した反射光を集光する集光体と、
前記集光体によって集光された反射光を受光して電気信号に変換するイメージセンサと、
前記イメージセンサが実装された回路基板と、
を有し、
前記照明装置は、請求項１から６のいずれか１項に記載の照明装置であることを特徴とするイメージセンサユニット。
【請求項８】
イメージセンサユニットと被照明体とを相対的に移動させながら、前記被照明体からの反射光を読み取る画像読取装置であって、
前記イメージセンサユニットは、請求項７に記載のイメージセンサユニットであることを特徴とする画像読取装置。
【請求項９】
イメージセンサユニットと被照明体とを相対的に移動させながら、前記被照明体からの反射光を読み取る画像読取手段と、
記録媒体に画像を形成する画像形成手段と、
を備える画像形成装置であって、
前記イメージセンサユニットは、請求項７に記載のイメージセンサユニットであることを特徴とする画像形成装置。
【発明の詳細な説明】
【技術分野】
【０００１】
本発明は、照明装置、イメージセンサユニット、画像読取装置および画像形成装置に関する。
【背景技術】
【０００２】
イメージセンサユニットに用いられる照明装置には、棒状の導光体によって点状光源を線光源化（線状化）するものがある。そして、このような導光体には、その長手方向で光の照射強度の均一化を図るために、その外周面に光を拡散する拡散パターンが設けられるものがある。拡散パターンとしては、例えば、外側に向かって突出するプリズムパターン（特許文献１参照）や印刷パターンが適用される。さらに導光体には、前述の拡散パターンが設けられる面を覆う導光体カバーが装着されることがある。例えば、導光体カバーには、導光体を挿入するための開口部が設けられており、この開口部から導光体をスライド式に挿入することによって、導光体に導光体カバーを装着する。
【０００３】
しかしながら、このような構成では、導光体に導光体カバーを装着する工程において、導光体に設けられる拡散パターンが導光体カバーに接触し、拡散パターンが損耗するおそれがある。拡散パターンの損耗を防止するために、拡散パターンと導光体カバーとの間の隙間を大きくすると、導光体と導光体カバーとの間でがたつきが大きくって相対的な位置関係が安定しなくなる。そうすると、導光体を通じて照射される光の特性が不安定になるおそれがある。
【先行技術文献】
【特許文献】
【０００４】
【特許文献１】特開２０１４−０３３４４０号公報
【発明の概要】
【発明が解決しようとする課題】
【０００５】
上述した実情に鑑み、本発明が解決しようとする課題は、特性を不安定にすることなく拡散パターンの損耗を抑制することである。
【課題を解決するための手段】
【０００６】
本発明の照明装置は、光源と、前記光源が発する光を線光源化する棒状の導光体と、前記導光体の一部を覆う棒状の導光体カバーと、を有する照明装置であって、前記導光体カバーは、前記導光体を所定の方向からスライド式に収容可能であり、前記導光体には、前記光源が発する光を拡散する拡散パターンが設けられ、長手方向に平行で前記所定の方向に対して傾斜する光拡散面と、長手方向視において、前記拡散パターンよりも前記所定の方向に直角な方向の外側に突出する突出部と、が設けられることを特徴とする。
【０００７】
本発明のイメージセンサユニットは、照明装置と、前記照明装置から出射されて被照明体で反射した反射光を集光する集光体と、前記集光体によって集光された反射光を受光して電気信号に変換するイメージセンサと、前記イメージセンサが実装された回路基板と、を有し、前記照明装置は、本発明の照明装置であることを特徴とする。
【０００８】
本発明の画像読取装置は、イメージセンサユニットと被照明体とを相対的に移動させながら、前記被照明体からの反射光を読み取る画像読取装置であって、前記イメージセンサユニットは、本発明のイメージセンサユニットであることを特徴とする。
【０００９】
本発明の画像形成装置は、イメージセンサユニットと被照明体とを相対的に移動させながら、前記被照明体からの反射光を読み取る画像読取手段と、記録媒体に画像を形成する画像形成手段と、を備える画像形成装置であって、前記イメージセンサユニットは、本発明のイメージセンサユニットであることを特徴とする。
【発明の効果】
【００１０】
本発明によれば、拡散パターンと他の部材との隙間のマージンを大きくすることなく、拡散パターンが導光体カバーに接触して損耗することを抑制できる。したがって、特性を低下させることなく、拡散パターンの損耗を抑制できる。
【図面の簡単な説明】
【００１１】
【図１】図１は、照明装置の構成例を模式的に示す分解斜視図である。
【図２】図２は、照明装置の構成例を模式的に示す外観斜視図である。
【図３】図３は、導光体の構成例を模式的に示す斜視図である。
【図４】図４は、導光体および導光体カバーの端部近傍の外観斜視図である。
【図５】図５は、導光体および導光体カバーの断面模式図であって、導光体カバーが導光体に取り付けられる前の状態を示す図である。
【図６】図６は、導光体および導光体カバーの断面模式図であって、導光体カバーが導光体に取り付けられた状態を示す図である。
【図７】図７は、導光体の拡散パターンおよび突出部の構成例を模式的に示す断面図である。
【図８】図８は、イメージセンサユニットの構成を模式的に示す分解斜視図である。
【図９】図９は、イメージセンサユニットの構成を模式的に示す外観斜視図である。
【図１０】図１０は、イメージセンサユニットの内部構造を模式的に示す断面図である。
【図１１】図１１は、本発明の実施形態である画像読取装置の外観斜視図である。
【図１２】図１２は、本発明の実施形態である画像形成装置の外観斜視図である。
【図１３】図１３は、本発明の実施形態である画像形成装置の筐体の内部に設けられる画像形成部を示す斜視図である。
【発明を実施するための形態】
【００１２】
以下、本発明を適用できる実施形態について、図面を参照して詳細に説明する。本発明の実施形態では、照明装置と、この照明装置が適用されるイメージセンサユニットと、このイメージセンサユニットが適用される画像読取装置および画像形成装置とを示す。各図においては、三次元の各方向を、Ｘ，Ｙ，Ｚの各矢印で示す。Ｘ方向は、イメージセンサユニットの主走査方向である。Ｙ方向は、イメージセンサユニットの副走査方向である。Ｚ方向は、イメージセンサユニットの上下方向である。ここでは、被照明体の例である原稿Ｐの側を上側とする。本発明の実施形態に係るイメージセンサユニットは、原稿Ｐに対して副走査方向に相対的に移動しながら、照明装置によって原稿Ｐに光を照射し、その反射光によって原稿Ｐの画像を読み取る。
【００１３】
（照明装置）
まず、照明装置９の構成例について説明する。図１は、照明装置９の構成例を模式的に示す分解斜視図である。図２は、照明装置９の組み付け構成の例を模式的に示す斜視図である。図１と図２に示すように、照明装置９は、光源６と、導光体３と、導光体カバー８とを有する。
【００１４】
光源６は、例えば、赤（Ｒ）と緑（Ｇ）と青（Ｂ）の各色の発光波長を有する発光素子を有する。各色の発光波長を有する発光素子には、公知の各種ＬＥＤが適用できる。なお、光源６の構成は、イメージセンサユニット１の仕様などに応じて適宜設定されるものであり、特に限定されない。また、光源６に含まれる発光素子の構成（例えば、発光波長の帯域など）や数も、特に限定されない。例えば、光源６は、前述のような赤と緑と青の各色の発光素子のほか、赤外線や紫外線を発する素子を有していてもよい。
【００１５】
導光体３は、光源６が発する光を線光源化（線状化）する光学部材である。導光体３は、主走査方向に細長い棒状の構成を有し、アクリル系の樹脂などといった透明な樹脂材料から一体に形成される。導光体３の主走査方向（長手方向）の端部には、光源６が発する光を入射させる光入射面３１が設けられる。導光体３の側面には、入射した光を拡散する光拡散面３３（図３参照）と、外部（被照明体の例である原稿Ｐ）に向けて出射する光出射面３２とが設けられる。光拡散面３３と光出射面３２は、いずれも、主走査方向に細長い帯状の形状を有する。
【００１６】
導光体カバー８は、導光体３に取り付けられて導光体３の一部を覆う部材である。導光体カバー８は、導光体３と同様に、主走査方向に長い棒状の構成を有する。導光体カバー８は、例えば、酸化チタンの粉末が混合された白色のポリカーボネートなどといった、光の反射率が高い材料により一体に形成される。導光体カバー８を長手方向（主走査方向）に直角な面で切断した断面形状は略Ｕ字形状であり、長手方向に直角な所定の方向の一側が開口している。このため、導光体３を、主走査方向に直角な所定の方向（すなわち開口する側）から導光体カバー８の内周側にスライド式に挿入可能である。
【００１７】
そして、図２に示すように、導光体カバー８が導光体３に取り付けられ、光源６が導光体３の光入射面３１に光を照射できる位置に設けられる。なお、照明装置９がイメージセンサユニット１に適用される構成であれば、図２に示すように、光源６は、イメージセンサユニット１の回路基板５（後述）の上面に実装される。そして、光源６が発する光は、光入射面３１から導光体３の内部に入射し、光拡散面３３において拡散し、最終的には光出射面３２から外部（原稿Ｐ）に向けて出射する。光出射面３２は、主走査方向に細長い帯状の形状を有しているため、光源６が発する光は、導光体３によって主走査方向に長くなるように線光源化（線状化）される。
【００１８】
次に、導光体３と導光体カバー８の構成の詳細について、図３と図４を参照して説明する。図３（ａ）は、導光体３の光拡散面の構成を模式的に示す斜視図であり、長手方向（主走査方向）の端部近傍を拡大して示す図である。図３（ｂ）は、図３（ａ）のＩＩＩ−Ｂ部拡大図である。図４は、導光体３および導光体カバー８の構成を模式的に示す斜視図であり、長手方向（主走査方向）の一方の端部近傍を拡大して示す図である。図４中の矢印Ｆは、導光体３を導光体カバー８に挿入する方向を示す。この方向を「挿入方向Ｆ」と記す。挿入方向Ｆについては後述する。
【００１９】
光入射面３１は、導光体３の長手方向の端部に設けられる。本実施形態では、導光体３の長手方向の両端部に光入射面３１が設けられる構成を示す（図１参照）。この場合には、照明装置９は２つの光源６を有し、２つの光源６のそれぞれが、両端部の光入射面３１のそれぞれに向けて光を照射できる位置に配置される。ただし、光入射面３１が、長手方向の一方の端部にのみ設けられる構成であってもよい。この場合には、照明装置９は１つの光源６を有し、この１つの光源６は導光体３の一方の端部に設けられる光入射面３１に向けて光を照射できる位置に配置される。
【００２０】
光出射面３２は、導光体３の側面に設けられる。そして、光出射面３２は、長手方向に細長い形状（たとえば帯状）を有する。光出射面３２の長さ（長手方向寸法）は、イメージセンサユニット１が対応する原稿Ｐの幅（主走査方向寸法）に応じて設定される。たとえば、Ａ３サイズの原稿Ｐの読取に対応する場合には、光出射面３２の長さは、Ａ３サイズの原稿Ｐの幅に応じた寸法に設定される。そして、光出射面３２は、原稿Ｐの読取ラインＯ（図１０参照）を照射できるように、たとえば原稿Ｐの読取ラインＯに向かって凸となる曲面に形成される。
【００２１】
光拡散面３３も、導光体３の側面に設けられる。そして、光拡散面３３も、主走査方向に細長い形状（たとえば帯状）を有する。図３（ａ）（ｂ）に示すように、光拡散面３３には、複数の拡散パターン３３１が設けられる。本実施形態では、拡散パターン３３１として、光入射面３１から入射した光を外部（特に、後述する導光体カバー８の光反射面８３１）に向けて出射するプリズム構造が適用される。具体的には、プリズム構造は、断面形状が略三角形であり、光拡散面３３の表面から突出し、長手方向に直角な方向に延伸するリブ状の構成を有する。また、プリズム構造の表面の傾斜角度（光拡散面３３の表面に対する角度）は、光入射面３１から入射してプリズム構造に到達した光が全反射しない角度に設定される。この角度は、光源６が発する光の波長帯域や、光入射面３１とプリズム構造との相対的な位置関係などに応じて適宜設定される。このような構成によれば、光入射面３１から入射してプリズム構造に到達した光の少なくとも一部は、プリズム構造から外部に出射することになる。なお、拡散パターン３３１としてのプリズム構造の数や間隔は、特に限定されるものではない。また、拡散パターン３３１としてのプリズム構造の寸法や間隔は均一でなくてもよい。さらに、拡散パターン３３１として、光を乱反射する塗料などからなる印刷パターンであってもよい。印刷パターンとしては、例えばドットパターンが適用できる。
【００２２】
また、光拡散面３３は、導光体３の長手方向視において、導光体カバー８の挿入方向Ｆに対して傾斜している。なお、光拡散面３３は、導光体３の長手方向視において導光体カバー８の挿入方向Ｆと平行でなければよく、導光体カバー８の挿入方向Ｆに対する傾斜角度は特に限定されない。
【００２３】
導光体カバー８は、導光体３に入射した光を拡散する機能と、光の利用効率の向上を図る機能を有する。また、照明装置９がイメージセンサユニット１に適用される構成においては、導光体カバー８は、導光体３をイメージセンサユニット１のフレーム２（後述）に位置決めする機能も有する。
【００２４】
導光体カバー８は、棒状の構成を有する。導光体カバー８を長手方向（主走査方向）に直角な面で切断した断面形状は略Ｕ字形状であり、長手方向に直角な所定の方向の一側が開口している。このため、長手方向に直角な所定の方向から、導光体３を導光体カバー８の内周側に挿入可能である。具体的には、次のとおりである。なお、ここでは、導光体カバー８がイメージセンサユニット１に組み付けられた状態の向きを基準として説明する。導光体カバー８は、側壁部８１と上壁部８２と下壁部８３とを有する。側壁部８１は、上下方向に起立し主走査方向に長い帯板状の構成を有する。上壁部８２は、側壁部８１の上端縁から副走査方向（側壁部８１の表面の法線方向）の一方に突出する平板状または舌片状の構成を有する。下壁部８３は、側壁部８１の下端縁から副走査方向の一方（上壁部８２と同じ方向）に突出する平板状または舌片状の構成を有する。このため、導光体カバー８は、副走査方向の一方が開口する断面略Ｕ字形状を有する。このような構成によれば、長手方向に直角な方向であって上壁部８２および下壁部８３の突出方向に平行な方向（換言すると、側壁部８１の表面の法線方向）が、挿入方向Ｆ（長手方向に直角な所定の方向）となる。そして、長手方向に直角な所定の方向から、導光体３を導光体カバー８の内周側（側壁部８１と上壁部８２と下壁部８３とに囲まれた領域）に挿入可能である。導光体カバー８がイメージセンサユニット１に組み付けられた状態を基準とすると、副走査方向の一方から、導光体３を導光体カバー８の内周側に挿入可能である。
【００２５】
ただし、導光体３の挿入方向Ｆは、副走査方向に平行な方向に限定されない。例えば、導光体３を導光体カバー８の長手方向（主走査方向）の端部から、主走査方向にスライド式に挿入可能な構成であってもよい。具体的には、導光体カバー８の長手方向の両端部に、導光体３の両端部のそれぞれを支持するブロック状または板状支持部が設けられ、これらの支持部に長手方向に貫通する貫通孔が形成される構成が適用できる。このような構成であれば、導光体３を支持部に形成される貫通孔に挿通することにより、導光体３を導光体カバー８にスライド式に挿入可能になる。なお、この場合には、挿入方向Ｆは主走査方向に平行な方向となる。
【００２６】
導光体カバー８の下壁部８３の内周側には、光反射面８３１が設けられる。光反射面８３１は、光を乱反射する表面性状を有する。また、光反射面８３１は導光体カバー８の長手方向（主走査方向）に細長い形状（たとえば帯状）を有する。そして、導光体３が導光体カバー８に挿入されると、光反射面８３１と導光体３に設けられる光拡散面３３とは平行となって対向する。ただし、略平行であればよく、厳密に平行でなくてもよい。このような構成を実現するため、光反射面８３１は、導光体カバー８の挿入方向Ｆ（長手方向に直角な所定の方向）に対して、導光体３の光拡散面３３と同じ角度（または略同じ角度）だけ傾斜している。
【００２７】
このように、導光体３が導光体カバー８の内周側に挿入されると、導光体３の光拡散面３３が導光体カバー８の光反射面８３１と対向する。また、導光体３の側面の一部が、導光体カバー８の側壁部の内周面と対向する。一方、導光体３の光入射面３１および光出射面３２は、導光体カバー８に覆われずに露出している。すなわち、導光体３が導光体カバー８の内周側に挿入されると、導光体３の外周の一部が導光体カバー８に覆われる。
【００２８】
導光体３が導光体カバー８に挿入されると、導光体３の光入射面３１から入射した光を拡散させることができる。具体的には次のとおりである。光拡散面３３に設けられる拡散パターン３３１は、光入射面３１から入射した光が全反射しない形状を有する。このため、光入射面３１から入射して拡散パターン３３１に到達した光の少なくとも一部は、拡散パターン３３１の表面から外部に出射する。拡散パターン３３１から外部に出射した光は、光反射面８３１において乱反射し、光拡散面３３から再び導光体３の内部に入射する。このように、光反射面８３１において乱反射した光が再び導光体３に入射することから、導光体３に入射した光を拡散させることができる。そしてこのような構成によれば、光出射面３２から出射する光の主走査方向の照度分布の均一化を図ることができる。
【００２９】
なお、導光体３と導光体カバー８には、それぞれ位置決め部３５，８４が設けられる。導光体３の位置決め部３５としては、例えば、側面から挿入方向Ｆに突出する突起が適用される。一方、導光体カバー８の位置決め部８４としては、導光体３の位置決め部３５が係合可能な貫通孔または凹部が適用される。そして、導光体３の位置決め部３５が導光体カバー８の位置決め部８４に嵌まり込むことにより、導光体カバー８が導光体３に対して位置決めされる。
【００３０】
ところで、本実施形態では、導光体３を、導光体カバー８の長手方向に直角な所定の方向（副走査方向の一方）から、導光体カバー８の内周側に挿入できる。導光体３を導光体カバー８の内周側に挿入する際に、拡散パターン３３１が導光体カバー８の内周面（特に、下壁部８３の内周面）と接触すると、拡散パターン３３１が損耗するおそれがある。なお、導光体３を導光体カバー８に主走査方向にスライドさせることにより挿入する構成においても、同様に拡散パターン３３１が損耗するおそれがある。
【００３１】
そこで、次に、拡散パターン３３１の損耗を抑制する構成について、図５〜図７を参照して説明する。図５と図６は、導光体３および導光体カバー８の断面構成を模式的に示す図であり、長手方向に直角な面で切断した図である。なお、図５は、導光体３を導光体カバー８に挿入する前の状態を示し、図６は、導光体３を導光体カバー８に挿入した後の状態を示す。図７は、導光体３の光拡散面３３およびその近傍の構成を模式的に示す断面図である。
【００３２】
導光体３の光拡散面３３および導光体カバー８の光反射面８３１は、長手方向視において、挿入方向Ｆ（本実施形態では副走査方向）に対して傾斜している。このため、導光体３を導光体カバー８の内周側に挿入する際に、導光体３の光拡散面３３に設けられる拡散パターン３３１は、導光体カバー８の内周面に接触しない。したがって、拡散パターン３３１の損耗を抑制または防止できる。
【００３３】
さらに導光体３には、拡散パターン３３１よりも挿入方向Ｆに直角な方向の外側（図５〜図７においては下側）に突出する突出部３６が設けられる。特に図６に示すように、突出部３６の表面３６１は、導光体３の長手方向視において、挿入方向Ｆに平行（すなわち、長手方向および挿入方向Ｆに平行）である。そして、突出部３６の表面３６１およびその延長面Ａ（図７参照）は、拡散パターン３３１の頂点（光拡散面３３の表面から最も高い点）を通過し挿入方向Ｆに平行な面Ｂよりも外側（図５〜図７においては下側）に位置する。
【００３４】
このような構成であれば、導光体３を導光体カバー８の内周側にスライド式に挿入する際に、突出部３６の表面３６１が導光体カバー８の下壁部８３の内周面に接触する。このため、拡散パターン３３１は、突出部３６によって、下壁部８３の内周面に接触しないように保持される。したがって、拡散パターン３３１の接触による損耗（例えば、摩耗など）を抑制できる。さらに、導光体３が導光体カバー８に収容された状態でも、拡散パターン３３１は、突出部３６によって光反射面８３１に接触しないように保持される。なお、突出部３６は、長手方向の全長にわたって設けられる。このため、光拡散面３３の全域にわたって、拡散パターン３３１の損耗を抑制できる。このような構成によれば、光拡散面３３と光反射面８３１とのマージンを大きくしなくても、拡散パターン３３１の損耗を抑制できる。したがって、マージンの拡大により特性が不安定になることを抑制できる。
【００３５】
また、突出部３６の表面３６１は、導光体３を導光体カバー８に挿入する際に、導光体カバー８の内周側の面に接触する。ここで、突出部３６の表面３６１が挿入方向Ｆに平行であると、導光体３の挿入がスムーズになる。
【００３６】
なお、図５〜図７においては、突出部３６の表面３６１の全域が拡散パターン３３１よりも挿入方向Ｆに直角な方向の外側に位置する構成を示したが、このような構成に限定されない。すなわち、突出部３６の表面３６１の少なくとも一部が、拡散パターン３３１よりも挿入方向Ｆに直角な方向の外側に位置する構成であればよい。要は、導光体３に、少なくとも一部が拡散パターン３３１よりも挿入方向Ｆに直角な方向の外側に突出する突出部３６が設けられる構成であればよい。
【００３７】
なお、この構成は、次のようにも説明できる。図７に示すように、拡散パターン３３１は、光拡散面３３から外部に向かって突出している。図７中の位置Ｃは、光拡散面３３およびその延長面を示し、位置Ｄは、拡散パターン３３１の光拡散面３３から最も高い位置（法線方向の距離が最も大きい位置）を示している。また、位置Ｅは、突出部３６のうち、光拡散面３３からの法線方向の距離が最も大きい位置を示している。なお、ここでいう法線方向とは、光拡散面３３の法線方向をいう。そして、図７に示すように、位置Ｅは、位置Ｄよりも、光拡散面３３およびその延長面（位置Ｃ）から遠い位置にある。換言すると、突出部３６は、光拡散面３３およびその延長面からそれらの法線方向に突出する部分を有している。そして、この部分の最大突出高さは、拡散パターン３３１の位置Ｃからの法線方向への最大突出高さよりも大きい。このような構成によれば、導光体３を導光体カバー８に挿入方向Ｆからスライド式に挿入する際に、導光体３の拡散パターン３３１が導光体カバー８の内周側の面に接触しない。さらに、導光体３を導光体カバー８に長手方向にスライド式に挿入する場合であっても、拡散パターン３３１は導光体カバー８の内周側の面（特に光反射面８３１）に接触しない。このような構成であれば、導光体３を導光体カバー８に挿入する際の方向に係わらず、拡散パターン３３１が導光体カバーの内周側の面に接触することを抑制できる。したがって、拡散パターン３３１の損耗を抑制できる。
【００３８】
また、図７に示すように、突出部３６が設けられる側とは反対側においても、突出部３７が設けられる。この突出部３７は、位置Ｄよりも光拡散面３３およびその延長面からそれらの法線方向に突出する部分である。位置Ｇは、突出部３７のうち、光拡散面３３（位置Ｃ）からの法線方向の距離が最も大きい位置を示している。このような構成によれば、導光体３を導光体カバー８に挿入する際に、導光体３の拡散パターン３３１が導光体カバー８の内周側の面に接触しない。
【００３９】
このように、本実施形態においては、光拡散面３３の長手方向視の両側に、拡散面３３からの突出高さ（拡散面３３の法線方向の高さ）が、拡散パターン３３１の最大突出高さ（位置Ｄ）よりも大きい（または大きい部分を有する）突出部３６，３７が設けられる。突出部３６，３７が拡散面３３の長手方向視の両側に設けられる構成であると、拡散パターン３３１の保護が強化される。
【００４０】
なお、突出部３７は、必ずしも拡散面３３の両側に設けられる構成でなくてもよい。すなわち、導光体３を導光体カバー８に挿入する際に、導光体３の外周面のうちの挿入方向Ｆに平行な面は、導光体カバー８の内周面と擦れ合いやすい。本実施形態では、図７中の下側の面が、導光体カバー８の内周面と擦れ合いやすい。したがって、拡散面３３の長手方向視の両側のうち、導光体３の下側に位置する一方に突出部３６が形成される構成であれば、拡散パターン３３１が導光体カバー８の内周面に接触することが抑制または防止されて保護される。これに対し、その反対側の面は、下側の面に比較すると、挿入時において導光体カバー８の内周面と擦れ合うことが少ない。このため、反対側には、突出部３７が設けられなくてもよい。ただし、長手方向視の両側に突出部３６，３７が設けられる構成であれば、拡散パターン３３１の保護が強化される。
【００４１】
一方、挿入方向Ｆが主走査方向に平行な場合には、拡散面３３が挿入方向Ｆと平行になる。このため、この場合には、拡散面３３の長手方向視の両側に突出部３６，３７が設けられる構成であることが好ましい。このような構成によれば、導光体３を導光体カバー８に挿入する際に、拡散パターン３３１が導光体カバー８の内周面と擦れ合うことが抑制される。
【００４２】
また、拡散パターン３３１として印刷パターンが適用される構成であれば、突出部３６の高さを、印刷パターンの厚さよりも大きくすればよい。
【００４３】
（イメージセンサユニット）
次に、イメージセンサユニット１の構成例について、図８〜図１０を参照して説明する。図８は、イメージセンサユニット１の構成例を模式的に示す分解斜視図である。図９は、イメージセンサユニット１の構成例を模式的に示す外観斜視図である。図１０は、イメージセンサユニット１の内部構造の例を模式的に示す断面図であり、主走査方向に直角な面で切断した図である。図８〜図１０に示すように、イメージセンサユニット１は、主走査方向に長い直方体状の構成を有する。そして、イメージセンサユニット１は、照明装置９と、フレーム２と、集光体４と、回路基板５とを含む。回路基板５には、イメージセンサ７が設けられる。
【００４４】
フレーム２は、イメージセンサユニット１の筐体である。フレーム２には、導光体カバー８が取り付けられた導光体３と、集光体４と、イメージセンサ７および光源６が実装された回路基板５とが収容されて取り付けられる。フレーム２は、たとえば、黒色に着色された遮光性を有する樹脂材料により一体に形成される。樹脂材料には、たとえば、ポリカーボネートが適用できる。
【００４５】
フレーム２は、主走査方向に長い直方体状の形状を有する。そして、フレーム２には、導光体収容室２７と、集光体収容室２８と、回路基板収容室２９（図１０参照）とが形成される。導光体収容室２７は、上側が開口する領域であり、導光体カバー８が取り付けられた導光体３を収容可能に構成される。集光体収容室２８は、上側が開口する領域であり、集光体４を収容可能に構成される。回路基板収容室２９は、下側が開口する領域であり、光源６およびイメージセンサ７が実装された回路基板５を収容可能に構成される。なお、フレーム２には、集光体収容室２８と回路基板収容室２９とを光が通過可能に連通する開口部Ｓが形成される。このほかフレーム２には、導光体収容室２７に収容された導光体カバー８を位置決めして固定する押さえ爪２１が形成される。押さえ爪２１は、導光体収容室２７の内部に向かって突出する弾性変形可能な構造物であり、フレーム２に一体に形成される。
【００４６】
集光体４は、原稿Ｐからの反射光をイメージセンサ７の表面に結像する光学部材である。集光体４には、たとえば、複数の正立等倍結像型の結像素子（ロッドレンズ）が主走査方向に直線状に配列された構成のロッドレンズアレイが適用される。なお、集光体４は、結像素子が直線的に配列される構成であればよく、構成は限定されない。たとえば、集光体４は、結像素子が複数列配列されている構成であってもよい。また、集光体４には、各種マイクロレンズアレイなど、従来公知の各種集光機能を有する光学部材が適用できる。
【００４７】
イメージセンサ７は、集光体４により結像した反射光を電気信号に変換する。イメージセンサ７には、たとえば、イメージセンサＩＣアレイが適用される。イメージセンサＩＣアレイは、複数のイメージセンサＩＣが回路基板５の表面に主走査方向に直線状に実装されることによって構成される。イメージセンサＩＣは、イメージセンサユニット１の読取の解像度に応じた複数の受光素子（光電変換素子と称することもある）から構成される。このように、イメージセンサ７は、複数のイメージセンサＩＣ（受光素子）が、主走査方向に直線状に配列されて構成される。なお、イメージセンサ７は、複数のイメージセンサＩＣが直線状に配列される構成のものであればよく、それ以外の構成は特に限定されない。たとえば、イメージセンサＩＣが千鳥配列のように複数列配列される構成であってもよい。なお、イメージセンサ７およびイメージセンサＩＣアレイを構成するイメージセンサＩＣには、従来公知の各種イメージセンサおよびイメージセンサＩＣが適用できる。
【００４８】
回路基板５は、主走査方向に長い矩形状の構成を有する。そして、回路基板５の上面には、イメージセンサ７と光源６とが実装される。図８に示すように、２つの光源６は、それぞれ回路基板５の主走査方向の端部近傍に、主走査方向中心に向かって光を照射できるように実装される。また、イメージセンサ７は、集光体４からの光を受光できるように、受光面を上側に向けて実装される。さらに、回路基板５には、外部との配線を接続するためのコネクタ類などが実装される。
【００４９】
このほか、イメージセンサユニット１には、画像読取装置１０（後述）または画像形成装置５０（後述）に取り付けるための取付部や、画像読取装置１０または画像形成装置５０に電気接続するためのコネクタなどが設けられる。なお、取付部やコネクタの構成は、特に限定されない。取付部は、イメージセンサユニット１を画像読取装置１０または画像形成装置５０に取り付けることができる構成であればよい。また、コネクタは、イメージセンサユニット１と画像読取装置１０または画像形成装置５０の所定の機器とを、電力や電気信号を送受信可能に接続できる構成であればよい。
【００５０】
そして、図８〜図１０に示すように、導光体カバー８が取り付けられた導光体３が、フレーム２の導光体収容室２７に収容される。そうすると、フレーム２に設けられる押さえ爪２１が、導光体カバー８に係合する。これにより、導光体３および導光体カバー８は、導光体収容室２７に収容された状態に保持される。また、図１０に示すように、導光体３の側面が、導光体カバー８の付勢部８５の付勢力によって、導光体収容室２７の内周面に接触した状態に維持される。これにより、導光体３および導光体カバー８は、フレーム２に位置決めされる。
【００５１】
また、集光体４は、フレーム２の集光体収容室２８に収容される。さらに、光源６とイメージセンサ７とが実装された回路基板５は、回路基板収容室２９に収容される。
【００５２】
導光体３が導光体収容室２７に収容され、２つの光源６が実装された回路基板５が回路基板収容室２９に収容されると、２つの光源６のそれぞれが、導光体３ｂの両端部に形成される光入射面３１のそれぞれに対向する。１つの光源６が実装された回路基板５が回路基板収容室２９に収容されると、この１つの光源６は、導光体３の一方の端部の光入射面３１に対向する。したがって、１つまたは２つの光源６が発する光は、導光体３の一方または両方の端部に形成される光入射面３１に入射する。
【００５３】
原稿Ｐに光を照射する場合には、光源６は、各色の発光素子を順次点灯する。光源６が発する光は、導光体３の光入射面３１からその内部に入射し、光拡散面３３やその他の反射面において反射するなどして内部を伝搬する。そして、導光体３の光出射面３２から原稿Ｐの読取ラインＯに向けて出射する。なお、図１０に示すように、イメージセンサユニット１が画像読取装置１０または画像形成装置５０に組み込まれた状態においては、イメージセンサユニット１の上側に原稿支持体１０５が配設される（後述）。イメージセンサユニット１の照明装置９は、原稿支持体１０５に載置された原稿Ｐの読取ラインＯに向けて光を照射する。原稿Ｐの読取ラインＯからの反射光は、集光体４によってイメージセンサ７の表面に結像される。イメージセンサ７は、集光体４によって結像した光学像を電気信号に変換する。イメージセンサユニット１は、原稿Ｐに対して副走査方向に相対的に移動しながら、このような動作を行う。これにより、イメージセンサユニット１は、原稿Ｐを読取ることができる。
【００５４】
（画像読取装置）
次に、本発明の実施形態に係る画像読取装置１０について、図１１を参照して説明する。本発明の実施形態に係る画像読取装置１０には、本発明の実施形態に係るイメージセンサユニット１が適用される。図１０は、本発明の実施形態に係る画像読取装置１０の外観斜視図である。図１０に示すように、本発明の実施形態に係る画像読取装置１０は、フラットベッド方式のスキャナーであり、本発明の実施形態に係るイメージセンサユニット１が組み込まれる。画像読取装置１０は、筐体１０２と、ユニット台１００と、ユニット台駆動機構を有する。
【００５５】
ユニット台１００は、イメージセンサユニット１が搭載される部材である。ユニット台駆動機構は、イメージセンサユニット１が搭載されるユニット台１００を、副走査方向に移動させる機構である。たとえば、ユニット台駆動機構は、駆動モータ１０３と、駆動モータ１０３の動力をユニット台１００に伝達するワイヤー１０４と、ユニット台１００をガイドするガイドシャフト１０７とを含む。なお、ユニット台１００およびユニット台駆動機構の構成は、特に限定されるものではなく、従来公知の構成が適用できる。また、筐体１０２の上面には、被照明体の例である原稿Ｐを支持する原稿支持体１０５が設けられる。原稿支持体１０５には、たとえば、透明のガラス板が適用される。さらに、筐体１０２の副走査方向の端部には、圧板１０６がヒンジなどによって開閉可能に取付けられる。圧板１０６は、原稿支持体１０５の上面に載置された原稿Ｐを押さえる機能を有する。
【００５６】
画像読取装置１０の動作および使用方法は次のとおりである。原稿支持体１０５の上面に、原稿Ｐを下向きに載置し、圧板１０６を閉じる。そして、駆動モータ１０３を駆動させてワイヤー１０４を動かすことによって、イメージセンサユニット１を副走査方向に移動させる。この際、ユニット台１００は、ガイドシャフト１０７によってガイドされる。これにより、イメージセンサユニット１は、原稿Ｐに対して副走査方向に相対的に移動する。そしてイメージセンサユニット１を移動させながら、原稿Ｐの画像を読取ライン毎に読み取る。イメージセンサユニット１が読み取った画像は、信号処理部１０９において必要に応じて画像処理を行った後、画像データとして記憶される。これにより、原稿Ｐの読み取りが完了する。
【００５７】
なお、本発明の実施形態である画像読取装置１０において、説明を省略した部分には、従来公知の画像読取装置と同じ構成が適用できる。また、画像読取装置１０としてフラットベッド方式のスキャナーについて説明したが、シートフィード方式のスキャナーについても適用できる。
【００５８】
（画像形成装置）
次に、本発明の実施形態に係る画像形成装置５０について、図１２と図１３を参照して説明する。本発明の実施形態に係る画像形成装置５０には、本発明の実施形態に係るイメージセンサユニット１が適用される。図１２は、本発明の実施形態に係る画像形成装置５０の外観斜視図である。図１３は、本発明の実施形態に係る画像形成装置５０の筐体の内部に設けられる画像形成部５１を抜き出して示した斜視図である。図１２と図１３に示すように、画像形成装置５０は、フラットベッド方式のスキャナーとインクジェット方式のプリンタとの複合機（ＭＦＰ；Ｍｕｌｔｉｆｕｎｃｔｉｏｎ Ｐｒｉｎｔｅｒ）である。そして、画像形成装置５０は、画像を読取る画像読取手段としての画像読取部５９と、画像を形成する画像形成手段としての画像形成部５１とを有する。画像形成装置５０の画像読取部５９には、本発明の実施形態に係るイメージセンサユニット１が組み込まれる。なお、画像形成装置５０の画像読取部５９は、前述の画像読取装置１０と共通の構成が適用できる。したがって、画像読取装置１０と共通の構成については同じ符号を付して示し、説明は省略する。
【００５９】
図１２に示すように、画像形成装置５０には、操作部５０１が設けられる。操作部５０１には、操作メニューや各種メッセージなどを表示する表示部５０２と、画像形成装置５０を操作するための各種操作ボタン５０３が設けられる。
【００６０】
図１３に示すように、画像形成装置５０の筐体５０４の内部には、画像形成部５１が設けられる。画像形成部５１は、搬送ローラ５２と、ガイドシャフト５３と、インクジェットカートリッジ５４と、モータ５５と、一対のタイミングプーリ５６とを有する。搬送ローラ５２は、駆動源の駆動力によって回転し、記録媒体としての印刷用紙Ｒを副走査方向に搬送する。ガイドシャフト５３は棒状の部材であり、その軸線が印刷用紙Ｒの主走査方向に平行となるように画像形成装置５０の筐体に固定される。インクジェットカートリッジ５４は、ガイドシャフト５３上をスライドすることによって、印刷用紙Ｒの主走査方向に往復動できる。インクジェットカートリッジ５４は、たとえば、シアンＣ、マゼンタＭ、イエローＹ、黒Ｋのインクを備えたインクタンク５４１（５４１Ｃ，５４１Ｍ，５４１Ｙ，５４１Ｋ）と、これらのインクタンク５４１にそれぞれ設けられた吐出ヘッド５４２（５４２Ｃ，５４２Ｍ，５４２Ｙ，５４２Ｋ）から構成される。一対のタイミングプーリ５６の一方は、モータ５５の回転軸に取り付けられる。そして、一対のタイミングプーリ５６は、印刷用紙Ｒの主走査方向に互いに離れた位置に設けられる。タイミングベルト５７は、一対のタイミングプーリ５６に平行掛けに巻き掛けられ、所定の箇所がインクジェットカートリッジ５４に連結される。
【００６１】
画像形成装置５０の画像読取部５９は、イメージセンサユニット１が読み取った画像を、印刷に適した形式の電気信号に変換する。そして、画像形成装置５０の画像形成部５１は、画像読取部５９のイメージセンサユニット１が変換した電気信号に基づいて、搬送ローラ５２、モータ５５、インクジェットカートリッジ５４を駆動し、印刷用紙Ｒに画像を形成する。このほか、画像形成装置５０の画像形成部５１は、外部から入力された電気信号に基づいて画像を形成することができる。なお、画像形成装置５０のうち、画像形成部５１の構成および動作は、従来公知の各種プリンタと同じ構成が適用できる。したがって、詳細な説明は省略する。
【００６２】
以上、本発明の実施形態について詳細に説明したが、前述の実施形態は、本発明を実施するにあたっての具体例を示したに過ぎない。本発明の技術的範囲は、前述の実施形態に限定されるものではない。本発明は、その趣旨を逸脱しない範囲において、種々の変更が可能である。
【００６３】
たとえば、本発明に係る画像読取装置は、前述の実施形態に記載される構成のイメージスキャナーに限定されるものではない。また、画像形成装置も、インクジェット方式に限定されず、電子写真方式、熱転写方式、ドットインパクト方式などどのような方式であってもよく、前述の実施形態に記載される複合機に限定されるものではない。本発明に係るイメージセンサユニットが適用される複写機やファクシミリも、本発明に含まれる。
【００６４】
また、実施形態においては、光源と導光体とを有する照明装置を、被照明体の例である原稿Ｐに対する反射用光源として用いる構成を示したが、この構成に限定されない。たとえば、照明装置を透過用光源として用いる構成であってもよい。
【産業上の利用可能性】
【００６５】
本発明は、導光体を有する照明装置と、この照明装置が適用されるイメージセンサユニット、画像読取装置、画像形成装置（たとえば、イメージスキャナー、ファクシミリ、複写機、複合機など）に有効に利用できるものである。そして、本発明によれば、導光体と導光体に取り付けられる他の部材との隙間のマージンを大きくすることなく、導光体の拡散パターンに他の部材が接触することを抑制または防止できる。したがって、特性を低下させることなく、拡散パターンの損耗を抑制または防止できる。
【符号の説明】
【００６６】
１：イメージセンサユニット、２：フレーム、３：導光体、３１：光入射面、３２：光出射面、３３：光拡散面、３３１：拡散パターン、４：集光体、５：回路基板、６：光源、７：イメージセンサ、８：導光体カバー、８１：側壁部、８２：上壁部、８３：下壁部、８３１：光反射面、９：照明装置、Ｐ：原稿、Ｏ：読取ライン
【図１】
2016015645.tif 000003
【図２】
2016015645.tif 000004
【図３】
2016015645.tif 000005
【図４】
2016015645.tif 000006
【図５】
2016015645.tif 000007
【図６】
2016015645.tif 000008
【図７】
2016015645.tif 000009
【図８】
2016015645.tif 000010
【図９】
2016015645.tif 000011
【図１０】
2016015645.tif 000012
【図１１】
2016015645.tif 000013
【図１２】
2016015645.tif 000014
【図１３】
2016015645.tif 000015